(57)【特許請求の範囲】
【請求項１】
埋込型住宅情報盤と、前記埋込型住宅情報盤に連接可能なモニターテレビとを備え、前記埋込型住宅情報盤の取付壁面から露呈する枠体部の厚さと、前記モニターテレビの厚さとが概ね等しい厚さにされ、且つ、上記モニターテレビの底面が、上記取付壁面の表面に当接している、モニターテレビ増設型住宅情報盤。
【請求項２】
前記埋込型住宅情報盤の取り付け壁面から露呈する枠体部の横寸法と、前記モニターテレビの横寸法とが概ね等しい寸法にされており、且つ、
前記埋込型住宅情報盤の取付壁面から露呈する枠体部の縦寸法と、前記モニターテレビの縦寸法とが概ね等しい寸法にされている、請求項１に記載のモニターテレビ増設型住宅情報盤。
【請求項３】
前記埋込型住宅情報盤の取り付け壁面から露呈する枠体部の、前記モニターテレビが連接される側の側面に、前記モニターテレビへ、少なくとも、電源供給と、映像信号との重畳信号と、前記モニターテレビを起動する起動信号とを伝送する、連接用コネクターを設けた、請求項１又は請求項２に記載のモニターテレビ増設型住宅情報盤。
【請求項４】
前記埋込型住宅情報盤の取付壁面から露呈する枠体部の、前記モニターテレビが連接される側の側面に、前記連接用コネクターを覆うように、脱着可能なカバー体を設けた、請求項３に記載のモニターテレビ増設型住宅情報盤。
【請求項５】
前記モニターテレビの映像表示手段が、液晶表示手段である、請求項１〜４のいずれかに記載のモニターテレビ増設型住宅情報盤。
【請求項６】
請求項１〜５のいずれかに記載のモニターテレビ増設型住宅情報盤を組み込んだ、モニターテレビ増設型インターホンシステム。
【発明の詳細な説明】
【０００１】
【発明の属する技術分野】
本発明は、モニターテレビ増設型住宅情報盤及びモニターテレビ増設型インターホンシステムに関し、特に、埋込型住宅情報盤にモニターテレビを後付けで増設する際に、モニターテレビの取り付け壁面に取り付け用の穴を形成する必要が無く、しかも、モニターテレビの増設作業が極めて容易な、モニターテレビ増設型住宅情報盤、及び、このモニターテレビ増設型住宅情報盤が組み込まれたモニターテレビ増設型インターホンシステムに関する。
【０００２】
【従来の技術】
近時、一戸立て住宅や、集合住宅等のビル等には、インターホンシステムが設置されるようになっている。
図１１は、従来のインターホンシステムの一例を概略的に示す構成図であり、この図は、インターホンシステムを集合住宅に設置した例を示している。
【０００３】
このインターホンシステム１０１は、共同玄関の玄関先に設置される、ロビーインターホン１０２と、管理人室等に設けられる、警報監視盤１０３と、各住戸Ｒ・・・に設置される埋込型住宅情報盤１０４・・・と、各住戸Ｒ・・・の玄関先に設置されるドアホン子器１０８・・・とを備える。
ロビーインターホン１０２と警報監視盤１０３との間、ロビーインターホン１０２と埋込型住宅情報盤１０４・・・の各々との間は、信号線を介して接続されており、ロビーインターホン１０２、警報監視盤１０３、ロビーインターホン１０２及び埋込型住宅情報盤１０４・・・の各々との間で、信号のやりとりができるようになっている。
【０００４】
また、各住戸の玄関先に設けられるドアホン子器１０８・・・の各々は、対応する住戸内の埋込型住宅情報盤１０４・・・の各々と、信号線を介して接続されている。
ロビーインターホン１０２は、テンキー等の外部入力手段１０２ａや、マイク１０２ｂや、スピーカ１０２ｃや、呼出ボタン１０２ｄ等を備える。
【０００５】
そして、来訪者が、ロビーインターホン１０２に設けられた外部入力手段１０２ａから、各室に設けられた埋込型住宅情報盤１０４・・・の各々の住戸番号を入力し、呼出ボタン１０２ｄを押し操作すると、この住戸番号に対応する埋込型住宅情報盤１０４から呼出音が発せられ、この呼出音に応答して、入居者等が、埋込型住宅情報盤１０４のハンドセットＨを取って応答した場合には、マイク１０２ｂやスピーカ１０２ｃと、住戸番号に対応する埋込型住宅情報盤１０４のハンドセットＨとにより、来訪者と入居者等とが、所定時間通話することができるようになっている。
【０００６】
また、警報監視盤１０３は、テンキー等の外部入力手段１０３ａや、ハンドセットＨ０や、警報発令手段（図示せず）や、各住戸に設けられた火災感知器等の各種センサ（図示せず。）の状態を監視する監視盤（図示せず）等を備える。
そして、管理人等が、警報監視盤１０３に設けられた外部入力手段１０３ａから、各室に設けられた埋込型住宅情報盤１０４・・・の各々の住戸番号を入力すると、この住戸番号に対応する埋込型住宅情報盤１０４から呼出音が発せられ、この呼出音に応答して、入居者等が、埋込型住宅情報盤１０４のハンドセットＨを取って応答した場合には、警報監視盤１０３のハンドセットＨ０と、住戸番号に対応する埋込型住宅情報盤１０４のハンドセットＨとにより、管理人等と入居者等とが、通話することができるようになっている。尚、この通話は、所定時間が経過すると自動的に切断されるようになっている。
【０００７】
また、埋込型住宅情報盤１０４・・・の各々は、ハンドセットＨや、スピーカＳや、警報ボタンＢ等を備えている。
そして、埋込型住宅情報盤１０４・・・の各々のハンドセットＨ・・・に設けられた、テンキー等の外部入力手段（図示せず。）から、例えば、警報監視盤１０３の住戸番号を入力すると、警報監視盤１０３から呼出音が発せられ、この呼出音に応答して、管理人等が、警報監視盤１０３のハンドセットＨ０を取った場合には、埋込型住宅情報盤１０４のハンドセットＨと、警報監視盤１０３のハンドセットＨ０とにより、入居者等と管理人等とが、通話することができるようになっている。尚、この通話は、所定時間が経過すると自動的に切断されるようになっている。
【０００８】
また、ドアホン子器１０８は、呼出ボタン１０８ａや、マイク１０８ｂや、スピーカ１０８ｃ等を備える。
そして、来訪者が、ドアホン子器１０８の呼出ボタン１０８ａを押し操作した場合には、その住戸内の埋込型住宅情報盤１０４から呼出音が発せられ、この呼出音に応答して、入居者等が、埋込型住宅情報盤１０４のハンドセットＨを取った場合には、マイク１０８ｂやスピーカ１０８ｃと、ハンドセットＨとにより、来訪者と入居者等が、通話することができるようになっている。尚、この通話は、所定時間が経過すると自動的に切断されるようになっている。
【０００９】
更に、このインターホンシステム１０１では、共同玄関の共同玄関ドアに設けられた電気錠１１５の施解錠制御ができるようになっている。
このように、共同玄関の共同玄関ドアに設けられた電気錠１１５の施解錠制御ができるようにされているものにあっては、例えば、入居者等が、ロビーインターホン１０２に設けられた、テンキー等の外部入力手段１０２ａから、正しい暗証番号を入力した場合には、電気錠１１５が所定の時間施錠状態から解錠状態になり、入居者等は、その間に、共同玄関ドアを開いて、集合住宅の共同玄関ホール内へと入ることができるようになっている。尚、電気錠１１５は、共同玄関ドアが開かれ、その後、閉じられた場合、又は、外部入力手段１０２ａから、正しい暗証番号が入力されることで、解錠状態にされてから所定時間が経過した場合には、自動的に、施錠状態になるようにされている。
【００１０】
また、各住戸に設置される埋込型住宅情報盤１０４・・・の外部入力手段から、正しい暗証番号を入力した場合にも、電気錠１１５が所定の時間施錠状態から解錠状態になり、来訪者等が、その間に、共同玄関ドアを開いて、集合住宅の共同玄関ホール内へと入ることができるようになっている。
尚、図１１中、１０７で示す装置は、警報監視盤１０３及びロビーインターホン１０２と、各住戸に設けられた埋込型住宅情報盤１０４・・・の各々との信号のやりとりをするために設けられている分岐器を示している。
【００１１】
また、１０９で示す装置は、電気錠１１５の施解錠を制御する電気錠制御盤を示している。
次に、埋込型住宅情報盤１０４を、各住戸の埋込型住宅情報盤１０４を取り付ける取付壁に設置する手順について説明する。
図１２は、従来の住宅情報盤１０４を概略的に示す図であり、図１２（ａ）は、住宅情報盤１０４の外観を示す正面図であり、また、図１２（ｂ）は、図１２（ａ）に示す住宅情報盤１０４が、住宅情報盤１０４を取り付ける取付壁面Ｗに取り付けられた状態を、取付壁面Ｗを横方向に切断し、上方から下方に見た模式的な断面図である。
【００１２】
住宅情報盤１０４を、取付壁面Ｗに取り付ける際には、まず、埋込型住宅情報盤１０４を取り付ける取付壁面Ｗの所定の位置に、埋込型住宅情報盤１０４の埋込部Ｐ１０４を収容できる大きさに相当する取付穴（図１２（ｂ）に示す取付穴ｈ１０１）を形成する。
次に、住宅情報盤１０４の埋込部Ｐ１０４を取付穴ｈ１０１に、埋込型住宅情報盤１０４の埋込部Ｐ１０４を収容し、その後、ビス等の固定手段（図示せず。）により、住宅情報盤１０４を取付壁面Ｗに固定する。
【００１３】
ところで、最近では、このインターホンシステム１０１を更に改良した、モニターテレビ付きインターホンシステムが商品化されている。
図１３は、従来のモニターテレビ付きインターホンシステムを概略的に示す構成図であり、この図は、従来のモニターテレビ付きインターホンシステムを集合住宅に設置した例を示している。
【００１４】
このモニターテレビ付きインターホンシステム２０１は、以下の構成を除けば、インターホンシステム１０１と同様の構成であるので、相当する部材装置には相当する参照符号を付して、その説明を省略する。
このモニターテレビ付きインターホンシステム２０１は、共同玄関の玄関先に、ロビーインターホン１０２に代えて、カメラ付きロビーインターホン２０２が設置されている点、各住戸には、埋込型住宅情報盤１０４・・・に代えて、モニターテレビ付き住宅情報盤２０４・・・が設けられている点、各住戸の玄関先に設置されるドアホン子器１０８に代えて、カメラ付きドアホン子器２０８が設置されている点、また、信号線の途中には、カメラ付きロビーインターホン２０２が撮像した映像を処理する映像制御盤２１０が設けられている点が、インターホンシステム１０１と、異なっている。
【００１５】
尚、図１３中、２０２ｅで示す装置は、カメラ付きロビーインターホン２０２に設けられているカメラを示しており、また、２０８ｅで示す装置は、カメラ付きドアホン子器２０８に設けられているカメラを示している。
また、Ｍｃは、モニターテレビ付き住宅情報盤２０４の映像表示手段を示しており、このような映像表示手段Ｍｃとしては、ＣＲＴディスプレイが用いられている。
【００１６】
このモニターテレビ付きインターホンシステム２０１は、各住戸の入居者等が、各住戸内に居ながら、モニターテレビ付き住宅情報盤２０４・・・の各々の設けられているモニターテレビ２０４ｂ・・・により、共同玄関先に訪れている来訪者を視覚を通じて確認できる。これにより、各住戸の入居者等は、共同玄関先に訪れている来訪者が不審者かどうかを確認した上で、共同玄関の共同玄関ドアの電気錠を解錠状態にすることができるので、集合住宅の共同玄関ホールへ、不審者の侵入を防ぐことができる。
【００１７】
更には、各住戸の玄関先に訪れている来訪者を、各住戸の入居者等が、各住戸内に居ながら、視覚を通じて確認できる。これにより、各住戸の入居者等は、各住戸の玄関先に訪れている来訪者が不審者かどうかを確認した上で、各住戸の玄関扉を開くことで、各住戸内へ不審者の侵入を防ぐことができる。
このように、モニターテレビ付きインターホンシステム２０１が設置された集合住宅は、防犯上優れており、特に、一人住まいをする女性から、モニターテレビ付きインターホンシステム２０１が設置されている集合住宅に入居したいという要望があり、このような要望に呼応する形で、集合住宅等の所有者や管理者等から、モニターテレビ付きインターホンシステム２０１を集合住宅等に設置して欲しい、という注文がなされている。
【００１８】
【発明が解決しようとする課題】
ところで、近時、上述したようなニーズに対応するとともに、顧客のニーズの多様化にも対応できるようにすることで、集合住宅の商品価値を更に高めるため等の理由から、集合住宅等の建築時等に、将来、モニターテレビ付きインターホンシステム２０１が構築できるようにしたうが、各住戸には、モニターテレビが付いていない埋込型住宅情報盤１０４・・・を付けておき、入居者から、モニターテレビ付き住宅情報盤２０４を付けて欲しいとのの希望があった場合にのみ、オプションで、その旨を希望した入居者が入居する住戸に、後付で、モニターテレビ付き住宅情報盤２０４を増設することができるようなシステムを商品化して欲しい、との要望が、集合住宅等の所有者や管理者等から多数なされている。
【００１９】
しかしながら、このようなニーズに対応して、各住戸に既に設置されている、埋込型住宅情報盤１０４・・・を、モニターテレビ付き住宅情報盤２０４・・・に交換する際には、以下に示すような問題がある。
図１４は、従来のモニターテレビ付き住宅情報盤２０４を概略的に示す図であり、図１４（ａ）は、モニターテレビ付き住宅情報盤２０４の外観を示す正面図であり、また、図１４（ｂ）は、図１４（ａ）に示すモニターテレビ付き住宅情報盤２０４が、モニターテレビ付き住宅情報盤２０４を取り付ける取付壁面Ｗに取り付けられた状態を、取付壁面を横方向に切断し、上方から下方に見た模式的な断面図である。
【００２０】
従来のモニターテレビ付き住宅情報盤２０４は、図１４（ａ）に示すように、モニターテレビ２０４ａの横寸法Ｌ１と埋込型住宅情報盤２０４ａの横寸法Ｌ２とは、概ね同じ寸法にされており、また、モニターテレビ部２０４ｂの縦寸法Ｌ３も、埋込型住宅情報盤２０４ｂの縦寸法Ｌ３と、概ね同じ寸法にされている。また、従来のモニターテレビ付き住宅情報盤２０４は、図１４（ｂ）に示すように、埋込型住宅情報盤２０４ａは、埋込型住宅情報盤２０４ａを動作させるのに必要な電装品が収容され、取付壁面Ｗ内へ埋め込まれる埋込部Ｐ２０４ａを有しており、且つ、モニターテレビ２０４ｂも、モニターテレビ２０４ｂを動作させるのに必要な電装品が収容され、取付壁面Ｗ内へ埋め込まれる埋込部Ｐ２０４ｂを有した構造になっている。
【００２１】
即ち、従来のモニターテレビ付き住宅情報盤２０４は、従来の埋込型住宅情報盤１０４の埋込部に比べ、モニターテレビ２０４ｂの埋込部Ｐ２０４ｂに概ね相当する分だけ、埋込部分が大きくなった構造を有している。
このため、モニターテレビ付き住宅情報盤２０４を各住戸の取付壁面Ｗに取り付けるには、既に、埋込型住宅情報盤１０４が取付壁面Ｗに設けられている場合であっても、既設の埋込型住宅情報盤１０４を取付壁面から取り外した後、取付壁面Ｗに既に設けられている取付穴（図１２（ｂ）に示す取付穴ｈ１０１）を、モニターテレビ２０４ｂの埋込部Ｐ２０４ｂに概ね相当する分だけ、大きくしてから、モニターテレビ付き住宅情報盤２０４を取り付ける必要があり、取付穴（図１２（ｂ）に示す取付穴ｈ１０１）のサイズを、取付穴（図１４（ｂ）に示す取付穴ｈ１０２）のように大きくする作業に手間や時間がかかるという問題があった。
【００２２】
また、建造物にとって、壁に大きな穴を開けることは、建造物の所有者や管理者等に、建造物を元の状態に戻す際に手間がかかるため、壁に大きな穴を開けること自体が、あまり好ましいことでは無い。
また、従来のモニターテレビ付きインターホンシステム２０１は、集合住宅の全住戸にモニターテレビ付き住宅情報盤２０４を設置することを前提にしており、従来のモニターテレビ付きインターホンシステム２０１では、住戸に入居する入居者等の希望に応じて、簡単に、入居者等が入居する住戸に、モニターテレビ付き住宅情報盤２０４を付けたり、モニターテレビの付いていない住宅情報盤１０４を付けたりすることができない、という問題もある。
【００２３】
また、モニターテレビ付き住宅情報盤２０４を、モニターテレビが付いていない住宅情報盤１０４に交換することを考えた場合には、モニターテレビ付き住宅情報盤２０４を取り付けるために、取付壁面Ｗからモニターテレビ付き住宅情報盤２０４を取り外した後、取付壁面Ｗに既に設けられている、大きな取付穴（図１４に示す取付穴ｈ１０２）を、住宅情報盤１０４の埋込部（図１２に示す埋込部Ｐ１０４）を収容するのに必要な大きさの取付穴（図１２に示す取付穴ｈ１０１）迄、埋め戻す必要があり、この作業に手間と時間がかかるという問題もある。
【００２４】
本発明は、以上のような問題を解決するためになされたものであって、モニターテレビを後付けで住宅情報盤に増設することができ、住宅情報盤にモニターテレビを後付けで増設する際に、モニターテレビを取り付ける、モニターテレビの取付壁面に取付穴を形成する必要が無く、更に、モニターテレビの増設作業が極めて容易な、モニターテレビ増設型住宅情報盤を提供することを目的としている。
【００２５】
また、本発明は、入居者等が、モニターテレビ付き住宅情報盤の設置を希望する場合には、その者の希望に応じて、その者が入居する住戸に既に設けられている住宅情報盤を、後付で、容易且つ簡単に、モニターテレビを増設でき、入居者等が、モニターテレビの付いていない住宅情報盤の設置を希望する場合には、その者が入居する住戸に設けられている住宅情報盤に既にモニターテレビが増設されている場合にあっては、住宅情報盤設からモニターテレビを単に取り外すという簡単な作業で、モニターテレビの付いていない住宅情報盤に変更できる、入居者等に、その者が入居する住戸の住宅情報盤を、モニターテレビの付いていないものにするか、オプションで、モニターテレビの付いているものにするかを選択できるようにすることで、入居者等のニーズに応じて、住宅情報盤を容易に変更することができるようにした、新規な、モニターテレビ増設型インターホンシステムを提供することを目的としている。
【００２６】
【課題を解決するための手段】
請求項１に記載のモニターテレビ増設型住宅情報盤は、埋込型住宅情報盤と、埋込型住宅情報盤に連接可能なモニターテレビとを備え、埋込型住宅情報盤の取付壁面から露呈する枠体部の厚さと、前記モニターテレビの厚さとが概ね等しい厚さにされ、且つ、上記モニターテレビの底面が、上記取付壁面の表面に当接している。
【００２７】
このモニターテレビ増設型住宅情報盤では、モニターテレビの厚さを、埋込型住宅情報盤の取付壁面から露呈する枠体部の厚さと概ね等しい厚さとしている。これにより、埋込型住宅情報盤を取り付ける、取付壁面に、埋込型住宅情報盤の埋込部を収容できる大きさの取付穴を形成し、埋込型住宅情報盤を取付壁面に取り付けておけば、その後、後付けで、この埋込型住宅情報盤にモニターテレビを増設する際に、既に形成されている取付穴のサイズを大きくする必要が無い。
【００２８】
従って、このモニターテレビ増設型住宅情報盤は、埋込型住宅情報盤へのモニターテレビの増設作業を極めて簡単に行える。
且つ、このモニターテレビ増設型住宅情報盤では、入居者が、モニターテレビ付き住宅情報盤は必要ないと希望した場合に、その者が入居する住戸の埋込型住宅情報盤にモニターテレビが増設されている場合にあっては、埋込型住宅情報盤からモニターテレビを取り外すだけでよいので、モニターテレビ付きのものからモニターテレビの付いていない埋込型住宅情報盤への交換作業も極めて容易に行える。
【００２９】
のみならず、このモニターテレビ増設型住宅情報盤は、取付壁面に形成する取付穴の大きさは、埋込型住宅情報盤の埋込部を収容できる大きさがあれば十分であるので、従来のモニターテレビ付き住宅情報盤に比べ、取付壁面に形成する取付穴の大きさを小さくできる。
これにより、住戸の取付壁面へ、大きな穴を形成しないで済むので、建造物の管理者や所有者にとっては、壁を元に戻す補修をする必要がない。
【００３０】
従って、このモニターテレビ増設型住宅情報盤は、建造物の管理者や所有者にとっても、好ましい。
請求項２に記載のモニターテレビ増設型住宅情報盤は、請求項１に記載のモニターテレビ増設型住宅情報盤の、埋込型住宅情報盤の取り付け壁面から露呈する枠体部の横寸法と、モニターテレビの横寸法とが概ね等しい寸法にされており、且つ、埋込型住宅情報盤の取り付け壁面から露呈する枠体部の縦寸法と、前記モニターテレビの縦寸法とが概ね等しい寸法にされている。
【００３１】
このモニターテレビ増設型住宅情報盤では、従来のモニターテレビ付き住宅情報盤と同様、モニターテレビの横寸法及び縦寸法の各々を、埋込型住宅情報盤の横寸法及び縦寸法の各々と概ね同一寸法としているので、増設型であるのもかかわらず、埋込型住宅情報盤にモニターテレビを増設した後の外観が、従来のモニターテレビ付き住宅情報盤と同じ外観を呈する。
【００３２】
これにより、このモニターテレビ増設型住宅情報盤は、入居者等に、最初から高級な、従来のモニターテレビ付き住宅情報盤がついているような好印象を与えることができる。
請求項３に記載のモニターテレビ増設型住宅情報盤は、請求項１又は請求項２に記載のモニターテレビ増設型住宅情報盤の、埋込型住宅情報盤の取り付け壁面から露呈する枠体部の、モニターテレビが連接される側の側面に、モニターテレビへ、少なくとも、電源供給と映像信号との重畳信号と、モニターテレビを起動する起動信号とを伝送する、連接用コネクターを設けた。
【００３３】
このモニターテレビ増設型住宅情報盤では、埋込型住宅情報盤の、モニターテレビが連接される側の側面に、連接用コネクターを設けている。このため、モニターテレビ側から、この連接用コネクターに設けられている、少なくとも、電源供給と映像信号との重畳信号出力端子及び起動信号出力端子の各々に対応する重畳信号入力端子及び起動信号入力端子の各々が設けられた連接用コネクターを導出すれば、埋込型住宅情報盤の連接用コネクターと、モニターテレビの連接用コネクターとを接続するだけという、簡単な操作で、埋込型住宅情報盤とモニターテレビとの電気的な接続が可能となる。
【００３４】
また、これとは逆に、埋込型住宅情報盤に既にモニターテレビが増設されている場合にあっては、埋込型住宅情報盤の連接用コネクターと、モニターテレビの連接用コネクターとを切り離すという簡単な作業で、埋込型住宅情報盤からモニターテレビを取り外すことができる。
請求項４に記載のモニターテレビ増設型住宅情報盤は、請求項３に記載のモニターテレビ増設型住宅情報盤の、埋込型住宅情報盤の取付壁面から露呈する枠体部の、モニターテレビが連接される側の側面に、前記連接用コネクターを覆うように、脱着可能なカバー体を設けた。
【００３５】
このモニターテレビ増設型住宅情報盤では、埋込型住宅情報盤の取付壁面から露呈する枠体部の、モニターテレビが連接される側の側面に、脱着可能なカバー体を設けている。これにより、埋込型住宅情報盤に、モニターテレビを増設していない場合には、埋込型住宅情報盤の取付壁面から露呈する枠体部の、モニターテレビが連接される側の側面に、このカバー体を取り付けておけば、外部から、連接用コネクターが見えず、優れた美観を呈する。
【００３６】
且つ、埋込型住宅情報盤に、モニターテレビを増設する場合にあっては、カバー体を取り外し、埋込型住宅情報盤の取付壁面から露呈する枠体部の、モニターテレビが連接される側の側面に設けられている連接用コネクターに、モニターテレビの連接用コネクターを接続するだけという、簡単な操作で、埋込型住宅情報盤のカバーを取り外すことなく、埋込型住宅情報盤とモニターテレビとの電気的な接続が可能となる。
【００３７】
請求項５に記載のモニターテレビ増設型住宅情報盤は、請求項１〜３のいずれかに記載のモニターテレビ増設型住宅情報盤の、モニターテレビの映像表示手段が、液晶表示手段であることを特徴としている。
このモニターテレビ増設型住宅情報盤では、モニターテレビの映像表示手段として、ＣＲＴに比べ、薄型化が容易な液晶表示手段を用いているので、モニターテレビの厚さを極めて薄くすることができる。これにより、取付壁面からあまり突出することが無い、薄型のモニターテレビ増設型住宅情報盤の製品化が可能になる。
【００３８】
尚、液晶表示手段としては、モノクロ液晶表示手段であってもよいが、商品価値を高めるためには、カラー液晶表示手段であることが好ましい。
請求項６に記載のモニターテレビ増設型インターホンシステムは、請求項１〜５のいずれかに記載のモニターテレビ増設型住宅情報盤を組み込んでいる。
このモニターテレビ増設型インターホンシステムでは、請求項１〜５のいずれかに記載のモニターテレビ増設型住宅情報盤を組み込んでいる。従って、このモニターテレビ増設型インターホンシステムでは、各住戸のモニターテレビ増設型住宅情報盤の取付壁面に、モニターテレビ増設型住宅情報盤を構成する住宅情報盤を取り付けておけば、後は、入居者等が、モニターテレビ付きの住宅情報盤を希望すれば、この希望に応じて、その入居者が入居する住戸の住宅情報盤に、後付けで、取付壁面に形成されている取付穴を大きくするような作業をすることなく、モニターテレビを住宅情報盤に接続するだけで、住宅情報盤をモニターテレビ付きにすることができるので、入居者等の希望に容易簡単に応えることができる。
【００３９】
また、入居者等が、モニターテレビの付いていない住宅情報盤を希望すれば、入居者等が入居する住戸の住宅情報盤に、既に、モニターテレビが増設されている場合にあっては、取付壁面に形成されている取付穴を小さくするような作業を一切することなく、モニターテレビを住宅情報盤から取り外すという簡単な作業で、モニターテレビの付いていない住宅情報盤にすることができるので、入居者等の希望に容易簡単に応えることができる。
【００４０】
このようにして、このモニターテレビ増設型インターホンシステムでは、集合住宅に入居する入居者等の希望に応じて、全住戸をモニターテレビの付いていない住宅情報盤にしたり、全住戸をモニターテレビ付き住宅情報盤にしたり、また、入居者等の希望する住戸のみをモニターテレビ付き住宅情報盤にした、モニターテレビの付いていない住宅情報盤とモニターテレビ付き住宅情報盤とが混在した、新規なインターホンシステムを市場に提供できる。
【００４１】
【発明の実施の形態】
以下、図面を参照しながら、本発明について更に詳しく説明する。
図１は、本発明に係るモニターテレビ増設型住宅情報盤の一例を概略的に示す図であり、図１（ａ）は、モニターテレビ増設型住宅情報盤の外観を示す正面図であり、また、図１（ｂ）は、図１（ａ）に示すモニターテレビ増設型住宅情報盤が取付壁面に取り付けられた状態を、取付壁面を横方向に切断し、上方から下方に見た模式的な断面図である。
【００４２】
このモニターテレビ増設型住宅情報盤４は、埋込型住宅情報盤４ａと、埋込型住宅情報盤に連接可能なモニターテレビ４ｂとを備える。
埋込型住宅情報盤４ａは、埋込型住宅情報盤４ａを動作させるのに必要な電装品が収容された埋込部Ｐ４ａを備える。
一方、モニターテレビ４ｂは、モニターテレビ４ｂはを動作させるのに必要な電装品を薄くして実装しており、モニターテレビ４ｂの厚さが薄くされている。
【００４３】
埋込型住宅情報盤４ａの横寸法Ｌ１及び縦寸法Ｌ２の各々は、モニターテレビの横寸法Ｌ３及び縦寸法Ｌ４の各々と同じ寸法又は概ね同じ寸法にされている。
且つ、埋込型住宅情報盤４ａの取付壁面Ｗから外部に露呈する枠体部ｆ４ａの厚さＤ１と、モニターテレビ４ｂの厚さＤ２ａ、Ｄ２ｂとが概ね等しい厚さにされている。
【００４４】
より特定的に説明すると、本発明にあっては、埋込型住宅情報盤４ａの取付壁面Ｗから外部に露呈する枠体部ｆ４ａの厚さＤ１と、モニターテレビ４ｂの枠体部ｆ４ｂの厚さＤ２ａとが、概ね等しい厚さにされていても良い。
また、モニターテレビ４ｂの枠体ｆ４ｂから更にモニターテレビ４ｂの表示部Ｍの表面が突出している場合にあっては、埋込型住宅情報盤４ａの取付壁面Ｗから外部に露呈する枠体部ｆ４ａの厚さＤ１と、モニターテレビ４ｂの枠体部ｆ４ｂの厚さＤ２ａとモニターテレビ表示部（映像表示部）Ｍが枠体部ｆ４ｂから突出している部分の厚さＤ３との合計の厚さＤ２ｂが、概ね、等しい関係にされていても良い（Ｄ１≒Ｄ２ｂ＋Ｄ３）。
【００４５】
要するに、モニターテレビ４ｂを埋込型住宅情報盤４ａに増設した場合に、モニターテレビ４ｂの表面と、埋込型住宅情報盤４ａの表面とを面一、即ち、モニターテレビ４ｂの表面と、埋込型住宅情報盤４ａの表面とが段差を生じないようにした際に、モニターテレビ４ｂの底面が、取付壁面の表面に概ね当接し、モニターテレビ４ｂの底面を、取付壁面の表面に概ね隙間無く取り付けることができるようになっていればよい。
【００４６】
尚、図１中、Ｈで示す部材装置は、ハンドセットを示しており、この例では、ハンドセットＨとして、その送話器と受話器とが設けられた面側に、送話器と受話器と間に、住戸番号や暗証番号等を入力するテンキー等の外部入力手段が設けられたものを用いている。また、Ｓで示す部材装置は、呼出音を鳴動したり、ハンドセットの受話器が受信した音声をハンドセットから切り代え出力したり、場合によっては、警報を発令するスピーカを示している。また、Ｂで示す部材装置は、緊急事態が発生した時に、入居者等が押し操作する警報ボタンを示している。
【００４７】
また、Ｍで示す部材装置は、モニターテレビ４ｂのモニターテレビ表示部（映像表示手段）を示しており、この例では、モニターテレビ４ｂの厚さを薄くするという目的を達成するために、モニターテレビ表示部（映像表示手段）Ｍとして、液晶ディスプレイを用いている。尚、液晶ディスプレイは、モノクロ液晶表示画面であっても良いが、このモニターテレビ増設型住宅情報盤の商品価値を更に高めるためには、カラー液晶表示画面のものを採用するのが好ましい。
【００４８】
また、Ｌで示す部材装置は、火災時に点灯する火災表示灯やガス漏れ時に点灯するガス漏れ警告灯等の複数の警告灯が設けられたパネルを示している。
また、Ｇで示す部材装置は、入居者等が、必要により、住戸の玄関先の様子を見るために、モニターテレビをオンにする、モニターボタンを示している。
図２は、埋込型住宅情報盤４ａを更に詳しく説明する図であり、図２（ａ）は、埋込型住宅情報盤４ａを、埋込型住宅情報盤４ａにモニターテレビ４ｂを接続しない状態で使用している状態を模式的に示す図である。尚、図２（ａ）中、左図は、埋込型住宅情報盤４ａの概略的な正面図を、右図は、埋込型住宅情報盤４ａを取付壁面に取り付けた状態を、埋込型住宅情報盤４ａの取付壁面Ｗから露呈する枠体部ｆ４ａの、モニターテレビ４ｂが連接される側の側面側から見た断面図を示している。また、図２（ｂ）中、左図は、埋込型住宅情報盤４ａの概略的な正面図を、右図は、埋込型住宅情報盤４ａを取付壁面Ｗに取り付けた状態を、埋込型住宅情報盤４ａの取付壁面Ｗから露呈する枠体部ｆ４ａの、モニターテレビ４ｂが連接される側の側面側から見た断面図であって、カバー体Ｃを取り外した状態を示している。
【００４９】
この埋込型住宅情報盤４ａでは、図２（ｂ）に示した通り、埋込型住宅情報盤の取付壁面Ｗから外部に露呈する枠体部ｆ４ａの、モニターテレビが連接される側の側面に、後付で増設されるモニターテレビ４ｂへ、電源供給と映像信号との重畳信号と、モニターテレビを起動する起動信号等の制御信号を伝送する、連接用コネクター５を設けている。
【００５０】
更に、この例では、図２（ａ）に示したように、連接用コネクター５を覆うように、着脱可能に、カバー体Ｃを設けている。
尚、この例では、連接用コネクター５には、電源供給と映像信号との重畳信号を出力する重畳信号出力端子５ａ、モニターテレビ４ｂを起動する起動信号等の制御信号出力端子５ｂ。商用電源が停電した時に非常電源を供給する非常電源供給端子５ｃ及び共通線端子５ｄを備える。
【００５１】
次に、集合住宅に、モニターテレビ増設型インターホンシステムを設置する作業の一例を例示的に説明する。
図３は、本発明に係るモニターテレビ増設型インターホンシステムの一例を概略的に示す構成図であり、この図は、モニターテレビ増設型インターホンシステムを集合住宅に設置した例を示している。
【００５２】
このモニターテレビ増設型インターホンシステム１では、集合住宅を新築する際に、各住戸に、モニターテレビ増設型住宅情報盤４を構成する住宅情報盤４ａを設置する以外は、基本的には、従来のモニターテレビ付きインターホンシステム２０１と同様の構成を備えるシステムを設置する。
即ち、このモニターテレビ増設型インターホンシステム１は、集合住宅の新築時等における基本構成（初期設定構成）として、共同玄関の玄関先には、カメラ付きロビーインターホン２が設置され、管理人室等には、警報監視盤３が設置され、各住戸Ｒ・・・には、モニターテレビ増設型住宅情報盤４を構成する住宅情報盤４ａ・・・が設置され、各住戸の玄関先には、ドアホン子器８・・・が設置された構成になっている。
【００５３】
カメラ付きロビーインターホン２と警報監視盤３との間、カメラ付きロビーインターホン２と埋込型住宅情報盤４ａ・・・の各々との間は、信号線を介して接続されており、カメラ付きロビーインターホン２、警報監視盤３、カメラ付きロビーインターホン２及び埋込型住宅情報盤４ａ・・・の各々との間で、信号のやりとりができるようになっている。
【００５４】
また、各住戸の玄関先に設けられるドアホン子器８・・・の各々は、対応する住戸内の埋込型住宅情報盤４ａ・・・の各々と、信号線を介して接続されている。
カメラ付きロビーインターホン２は、テンキー等の外部入力手段２ａや、マイク２ｂや、スピーカ２ｃや、呼出ボタン２ｄや、カメラ２ｅ等を備える。
【００５５】
そして、来訪者が、カメラ付きロビーインターホン２に設けられた外部入力手段２ａから、各室に設けられた埋込型住宅情報盤４ａ・・・の各々の住戸番号を入力し、呼出ボタン２ｄを押し操作すると、この住戸番号に対応する埋込型住宅情報盤４ａから呼出音が発せられ、この呼出音に応答して、入居者等が、埋込型住宅情報盤４ａのハンドセットＨを取って応答した場合には、マイク２ｂやスピーカ２ｃと、住戸番号に対応する埋込型住宅情報盤４ａのハンドセットＨとにより、来訪者と入居者等とが、所定時間通話することができるようになっている。
【００５６】
また、警報監視盤３は、テンキー等の外部入力手段３ａや、ハンドセットＨ０や、警報発令手段（図示せず）や、各住戸の状態を監視する監視モニター（図示せず）等を備える。
そして、管理人等が、警報監視盤３に設けられた外部入力手段３ａから、各室に設けられた埋込型住宅情報盤４ａ・・・の各々の住戸番号を入力すると、この住戸番号に対応する埋込型住宅情報盤４ａから呼出音が発せられ、この呼出音に応答して、入居者等が、埋込型住宅情報盤４ａのハンドセットＨを取って応答した場合には、警報監視盤３のハンドセットＨ０と、住戸番号に対応する埋込型住宅情報盤４ａのハンドセットＨとにより、管理人等と入居者等とが、所定時間通話することができるようになっている。
【００５７】
また、上述したように、埋込型住宅情報盤４ａ・・・の各々は、ハンドセットＨや、スピーカＳや、警報ボタンＢ等を備えている。
そして、埋込型住宅情報盤４ａ・・・の各々のハンドセットＨ・・・に設けられた、テンキー等の外部入力手段（図示せず。）から、例えば、警報監視盤３の住戸番号を入力すると、警報監視盤３から呼出音が発せられ、この呼出音に応答して、管理人等が、警報監視盤３のハンドセットＨ０を取った場合には、埋込型住宅情報盤４ａのハンドセットＨと、警報監視盤３のハンドセットＨ０とにより、入居者等と管理人等とが、所定時間通話することができるようになっている。
【００５８】
また、ドアホン子器８は、呼出ボタン８ａや、マイク８ｂや、スピーカ８ｃ等を備える。
そして、来訪者が、ドアホン子器８の呼出ボタン８ａを押し操作した場合には、その住戸内の埋込型住宅情報盤４ａから呼出音が発せられ、この呼出音に応答して、入居者等が、埋込型住宅情報盤４ａのハンドセットＨを取って応答した場合には、マイク８ｂやスピーカ８ｃと、ハンドセットＨとにより、来訪者と入居者等が、所定時間通話することができるようになっている。
【００５９】
更に、このモニターテレビ増設型インターホンシステム１では、共同玄関の共同玄関ドアに設けられた電気錠１５の施解錠制御ができるようになっている。
このように、共同玄関の共同玄関ドアに設けられた電気錠１５の施解錠制御ができるようにされているものにあっては、例えば、入居者等が、ロビーインターホン２に設けられた、テンキー等の外部入力手段２ａから、正しい暗証番号を入力した場合には、電気錠１５が所定の時間施錠状態から解錠状態になり、入居者等は、その間に、共同玄関ドアを開いて、集合住宅の共同玄関ホール内へと入ることができるようになっている。
【００６０】
また、各住戸に設置される埋込型住宅情報盤４ａ・・・の外部入力手段から、正しい暗証番号を入力した場合にも、電気錠１５が所定の時間施錠状態から解錠状態になり、来訪者等が、その間に、共同玄関ドアを開いて、集合住宅の共同玄関ホール内へと入ることができるようになっている。
尚、図３中、７で示す装置は、警報監視盤３及びカメラ付きロビーインターホン２と、各住戸に設けられた埋込型住宅情報盤４ａ・・・の各々との信号のやりとりをするために設けられている分岐器を示している。
【００６１】
また、９で示す装置は、電気錠１５の施解錠を制御する電気錠制御盤を示している。
尚、図３中、３Ｐｒは、このシステム１では、信号線として、３ペア線が用いられてことを示している。
このモニターテレビ増設型インターホンシステム１では、集合住宅の全室に、埋込型住宅情報盤４ａ・・・のみが設置されている場合には、共同玄関先に、カメラ付きロビーインターホン２が設けられ、システム１内に、映像制御盤１０が組み込まれているものの、その機能は、図１１に示す、インターホンシステム１０１の機能と同様である。
【００６２】
次に、埋込型住宅情報盤４ａを、各住戸の埋込型住宅情報盤４ａを取り付ける取付壁に設置する手順について説明する。
埋込型住宅情報盤４ａの取付壁面Ｗへの取付作業は、埋込型住宅情報盤１０４の取付壁面Ｗへの取付作業と同様である。
即ち、まず、埋込型住宅情報盤４ａを取り付ける取付壁面Ｗの所定の位置に、埋込型住宅情報盤４ａの埋込部Ｐ４ａを収容できる大きさに相当する取付穴（図１（ｂ）に示す取付穴ｈ１）を形成する。
【００６３】
次に、住宅情報盤４ａの埋込部Ｐ４ａを取付穴ｈ１に、埋込型住宅情報盤４ａの埋込部Ｐ４ａを収容し、その後、ビス等により、住宅情報盤４ａを取付壁面Ｗに固定する。
次に、このモニターテレビ増設型インターホンシステム１が設置されている集合住宅へ入居する入居者等が、その者が入居する住戸の住宅情報盤として、モニターテレビ付きのものを希望した場合に、その者が入居する住戸の住宅情報盤をモニターテレビ付きのものにする手順について説明する。
【００６４】
図４は、ある住戸Ｒｘに設けられている埋込型住宅情報盤４ａにモニターテレビ４ｂを増設した状態を示している。
住戸Ｒｘに設けられている埋込型住宅情報盤４ａにモニターテレビ４ｂを増設する際には、まず、この住戸Ｒｘの玄関先に設置されているドアホン子器８を、カメラ８ｅ付きのドアホン子器１８に交換する。
【００６５】
次いで、取付壁面Ｗに既に取り付けられている埋込型住宅情報盤４ａに、モニターテレビ４ｂを増設する増設作業手順について説明する。
図５及び図６は、取付壁面Ｗに既に取り付けられている埋込型住宅情報盤４ａに、モニターテレビ４ｂを増設する増設作業手順を概略的に説明する説明図である。
【００６６】
埋込型住宅情報盤４ａに、モニターテレビ４ｂを増設する際には、まず、図２（ｂ）に示すように、住宅情報盤４ａの側面に設けられているカバー体Ｃを取り外し、連接用コネクター５を外部に露出した状態にする。
尚、カバー体Ｃが、ノックアウトの場合には、ノックアウトを破って、連接用コネクター５を、接続可能な状態にする。
【００６７】
次に、図５（ａ）及び図６（ａ）に示すように、住宅情報盤４ａに増設するモニターテレビ４ｂの、モニターテレビ４ｂを動作させる電装品（図示せず。）が実装されたベース４１を、ビス等の固定手段ｖ、ｖ、ｖ、ｖを用いて、住宅情報盤４ａに隣接するようにして、取付壁面Ｗに取り付ける。
尚、ベース４１と、電装品（図示せず。）が実装された回路基板（図示せず）とが別々になっている場合にあっては、先に、ベース４ｃを取付壁面Ｗに取り付けた後に、ベース４１に、回路基板（図示せず）を取り付けても良いし、先に、ベース４１に回路基板（図示せず）を取り付けし、その後、ベース４１を取付壁面Ｗに取り付けても良い。
【００６８】
次に、図６（ｂ）に示すように、ベース４１に実装されている電装品（図示せず。）から導出されている、連接用コネクター６を連接用コネクター５に接続する。
尚、連接用コネクター６の内部には、連接用コネクター５に設けられた、電源供給と映像信号との重畳信号を出力する重畳信号出力端子５ａ、モニターテレビ４ｂを起動する起動信号等の制御信号出力端子５ｂ、商用電源が停電した時に非常電源を供給する非常電源供給端子５ｃ及び共通線端子５ｄの各々に対応するように、重畳信号入力端子（図示せず。）、制御信号入力端子（図示せず。）、非常電源入力端子（図示せず。）及び共通線端子（図示せず。）が設けられている。
【００６９】
これにより、図７に示すように、連接用コネクター５と連接用コネクター６とを接続するだけで、重畳信号出力端子５ａと重畳信号入力端子（図示せず。）との電気的な接続、制御信号出力端子５ｂ制御信号と入力端子（図示せず。）との電気的な接続、非常電源供給端子５ｃと非常電源入力端子（図示せず。）との電気的な接続、及び、共通線端子５ｄと共通線端子（図示せず。）との電気的な接続が、同時になされるようになっている。
【００７０】
以上の作業が終了したら、ベース４１に、モニターテレビカバー部４２を取り付ける。これにより、住宅情報盤４ａへのモニターテレビ４ｂの増設作業は、終了する（図５（ｂ）及び図６（ｃ）を参照）。
このモニターテレビ増設型住宅情報盤４では、モニターテレビ４ｂの厚さを、埋込型住宅情報盤４ａの取付壁面Ｗから露呈する枠体部ｆ４ａの厚さと概ね等しい厚さとしている。このため、埋込型住宅情報盤４ａを取り付ける取付壁面Ｗに、埋込型住宅情報盤４ａの埋込部Ｐ４ａを収容できる大きさの取付穴ｈ１を形成し、埋込型住宅情報盤４ａを取付壁面Ｗに取り付けておけば、その後、後付けで、この埋込型住宅情報盤４ａにモニターテレビ４ｂを増設する際に、既に形成されている取付穴ｈ１のサイズを大きくする必要が無い。
【００７１】
これにより、埋込型住宅情報盤４ａへのモニターテレビの増設作業を極めて簡単に行える。
且つ、このモニターテレビ増設型住宅情報盤４では、入居者等が、モニターテレビ付き住宅情報盤は必要ないと希望した場合には、埋込型住宅情報盤４ａにモニターテレビ４ｂが増設されている場合にあっては、埋込型住宅情報盤４ａからモニターテレビ４ｂを取り外すだけでよいので、モニターテレビ付き住宅情報盤からモニターテレビの付いていない埋込型住宅情報盤への交換作業も極めて容易に行える。
【００７２】
のみならず、このモニターテレビ増設型住宅情報盤４は、取付壁面Ｗに形成する取付穴ｈ１の大きさは、埋込型住宅情報盤４ａの埋込部Ｐ４ａを収容できる大きさがあれば十分であるので、従来のモニターテレビ付き住宅情報盤（図１４に示すモニターテレビ付き住宅情報盤２０４）に比べ、取付壁面Ｗに形成する取付穴の大きさを小さくできる（ｈ１＜ｈ１０２）。
【００７３】
これにより、住戸の取付壁面Ｗへ、大きな穴を形成しないで済むので、建造物の管理者や所有者にとっては、壁Ｗを元に戻す補修をする必要がない。
従って、このモニターテレビ増設型住宅情報盤４は、建造物の管理者や所有者にとっても、好ましい。
また、上述したように、このモニターテレビ増設型住宅情報盤４では、従来のモニターテレビ付き住宅情報盤２０４と同様、モニターテレビ４ｂの横寸法Ｌ２及び縦寸法Ｌ４の各々を、埋込型住宅情報盤４ａの横寸法Ｌ１及び縦寸法Ｌ３の各々と概ね同一寸法としているので、増設型であるのもかかわらず、埋込型住宅情報盤４ａにモニターテレビ４ｂを増設した後の外観が、従来のモニターテレビ付き住宅情報盤２０４と同じ外観を呈する。
【００７４】
これにより、このモニターテレビ増設型住宅情報盤４は、モニターテレビ増設後において、入居者等に、従来のモニターテレビ付き住宅情報盤２０４と同様の高級感を印象付けることができる。
また、このモニターテレビ増設型住宅情報盤４では、埋込型住宅情報盤４ａの、モニターテレビ４ｂが連接される側の側面に、連接用コネクター５を設けているため、モニターテレビ４ｂ側から、この連接用コネクター５の、重畳信号出力端子５ａ、制御信号出力端子５ｂ、非常電源供給端子５ｃ及び共通線端子５ｄの各々に対応する、重畳信号入力端子（図示せず。）、制御信号入力端子（図示せず。））、非常電源入力端子（図示せず。）及び共通線端子（図示せず。）の各々が設けられた連接用コネクター６を導出することで、埋込型住宅情報盤４ａの連接用コネクター５と、モニターテレビ４ｂの連接用コネクター６とを接続するだけという、簡単な操作で、埋込型住宅情報盤４ａとモニターテレビ４ｂとの電気的な接続が可能となる。
【００７５】
また、これとは逆に、埋込型住宅情報盤４ａに既にモニターテレビ４ｂが増設されている場合にあっては、埋込型住宅情報盤４ａの連接用コネクター５と、モニターテレビ４ｂの連接用コネクター６とを切り離すという簡単な操作で、埋込型住宅情報盤４ａからモニターテレビ４ｂを取り外すことができる。
更に、このモニターテレビ増設型住宅情報盤４では、埋込型住宅情報盤４ａの取付壁面Ｗから露呈する枠体部ｆ４ａの、モニターテレビ４ｂが連接される側の側面に、脱着可能なカバー体Ｃを設けているので、埋込型住宅情報盤４ａに、モニターテレビ４ｂを増設していない場合には、埋込型住宅情報盤４ａの取付壁面Ｗから露呈する枠体部ｆ４ａの、モニターテレビ４ｂが連接される側の側面に、このカバー体Ｃを取り付けておけば、外部から、連接用コネクター５が見えず、優れた美観を呈する。また、連接用コネクター５を傷めることがない。
【００７６】
且つ、埋込型住宅情報盤４ａに、モニターテレビ４ｂを増設する場合にあっては、カバー体Ｃを取り外し、埋込型住宅情報盤４ａの取付壁面Ｗから露呈する枠体部４ｆａの、モニターテレビ４ｂが連接される側の側面に設けられている連接用コネクター５に、モニターテレビ４ｂの連接用コネクター６を接続するだけという、簡単な操作で、埋込型住宅情報盤４ａのカバーを取り外すことなく、埋込型住宅情報盤４ａとモニターテレビ４ｂとの電気的な接続が可能となる。
【００７７】
また、このモニターテレビ増設型住宅情報盤４では、モニターテレビ４ｂのモニターテレビ表示部（映像表示手段）Ｍとして、ＣＲＴに比べ、薄型化が容易な液晶表示手段を用いている。これにより、モニターテレビ４ｂの厚さＤ１、Ｄ２を極めて薄くすることができるので、取付壁面Ｗからあまり突出することが無い、薄型のモニターテレビ増設型住宅情報盤の製品化が可能になる。
【００７８】
実際に、種々の試作品を作成した結果、以上の構成を採用することで、モニターテレビ増設型住宅情報盤４として、埋込型住宅情報盤４ａのサイズとして、横寸法が１５０ｍｍ、縦寸法が１５０ｍｍ、埋込部Ｐ４ａの厚さが、４０ｍｍで、モニターテレビのサイズとして、横寸法が１５０ｍｍ、縦寸法が１５０ｍｍ、埋込部が０ｍｍとなるような、市場性の高い商品を製造できた。
【００７９】
更に、このモニターテレビ増設型住宅情報盤４・・・が組み込まれたモニターテレビ増設型インターホンシステム１では、住戸のモニターテレビ増設型住宅情報盤４の取付壁面Ｗに、モニターテレビ増設型住宅情報盤４を構成する住宅情報盤４ａを取り付けておけば、後は、入居者等が、モニターテレビ付きの住宅情報盤を希望すれば、この希望に応じて、その入居者が入居する住戸の住宅情報盤４ａに、後付けで、取付壁面Ｗに形成されている取付穴を大きくするような作業をすることなく、モニターテレビ４ｂを住宅情報盤４ａに接続するだけで、住宅情報盤４ａをモニターテレビ付きにすることができるので、入居者等の希望に容易簡単に応えることができる。
【００８０】
また、入居者等が、モニターテレビの付いていない住宅情報盤を希望すれば、入居者等が入居する住戸の住宅情報盤４ａに、既に、モニターテレビ４ｂが増設されている場合にあっては、取付壁面Ｗに形成されている取付穴を小さくするような作業を一切することなく、モニターテレビ４ｂを住宅情報盤４ａから取り外すという簡単な作業で、モニターテレビの付いていない住宅情報盤にすることができるので、入居者等の希望に容易簡単に応えることができる。
【００８１】
このようにして、このモニターテレビ増設型インターホンシステム１では、集合住宅に入居する入居者等の希望に応じて、全住戸をモニターテレビの付いていない住宅情報盤にしたり、全住戸をモニターテレビ付き住宅情報盤にしたり、また、入居者等の希望する住戸のみをモニターテレビ付き住宅情報盤にした、モニターテレビの付いていない住宅情報盤とモニターテレビ付き住宅情報盤とが混在した、新規なインターホンシステムを市場に提供できる。
【００８２】
尚、参考のため、モニターテレビ増設型住宅情報盤４を構成する、住宅情報盤４ａ及びモニターテレビ４ｂの各々の内部構成を簡単に説明する。
図８及び図９は、埋込型住宅情報盤４ａ及びモニターテレビ４ｂの各々の概略的なブロック図である。
モニターテレビ増設型住宅情報盤４を構成する、住宅情報盤４ａ及びモニターテレビ４ｂの各々の構成は、住宅情報盤４ａとモニターテレビ４ｂとが、連接用コネクター５、６により、電気的な接続と切り離しができるようにされている点を除けば、図１３に示すモニターテレビ付きインターホンシステム２０１で用いられるモニターテレビ付き住宅情報盤２０４と基本的な構成は概ね同じである。
【００８３】
即ち、住宅情報盤４ａは、映像制御盤１０及び分岐器７から送られてくる各種信号や、ドアホン子器１３から送られてくる各種信号、及び、住宅情報盤４ａから送出する各種信号を処理するために設けられた信号制御回路４３や、ハンドセットＨの通話を可能とする通話制御回路４４や、映像制御盤１０から送られてくる電源供給と映像信号との重畳信号を処理したり、ドアホン子器１３のカメラ８ｂが撮像した映像を処理したり、モニターテレビ４ｂへ映像信号と電源供給信号を送出したりするために設けられた映像信号制御回路４５や、モニターテレビ４ｂの起動信号等の制御信号を送出するテレビ起動信号回路４６を備える。
【００８４】
そして、モニターテレビ４ｂへ送出する信号は、連接用コネクター５（この例では、４Ｐコネクターを用いている。）から取り出せるようにされている。
また、モニターテレビ４ｂは、連接用コネクター６（この例では、４Ｐコネクターを用いている。）を連接用コネクター５に接続することで、住宅情報盤４ａから送られてくる各種信号を処理するための制御回路部４７や、ビデオ信号を処理したり、テレビ起動信号を処理したりするためのモニターテレビ制御回路４８や、モニターテレビ表示部（映像表示部）Ｍを備える。
【００８５】
尚、図８及び図９中、１１で示す部材及び１２で示す部材は、必要により設けられるコネクターを、１３で示す部材は、導出用信号線を示している。
次に、住宅情報盤４ａに、モニターテレビ４ｂが既に増設されている場合のモニターテレビ増設型住宅情報盤４の動作を例示的に説明する。
図１０は、来訪者が、共同玄関の玄関先に設けられた、カメラ付きロビーインターホン２の外部入力手段２ａから住戸番号を指定し、呼出ボタン２ｄが押し操作した場合に、この住戸番号に対応する住宅情報盤４ａに、モニターテレビ４ｂが既に増設されている場合のモニターテレビ増設型住宅情報盤４の動作を例示的に示す、タイムチャートである。
【００８６】
来訪者が、共同玄関の玄関先に設けられた、カメラ付きロビーインターホン２の外部入力手段２ａから住戸番号を指定し、呼出ボタン２ｄが押し操作すると、モニターテレビ増設型住宅情報盤４の住宅情報盤４ａのスピーカから呼出音が出力される。これと、同時に、住宅情報盤４ａからモニターテレビ４ｂにテレビ起動信号が送出され、モニターテレビ４ｂのモニターテレビ表示部（映像表示部）Ｍがオンし、カメラ付きロビーインターホン２のカメラ２ｂが撮像している映像が表示される。
【００８７】
この呼出音に応じて、あるいは、モニターテレビ表示部（映像表示部）Ｍに映し出されている映像から、この住戸の入居者等が、共同玄関前に来ている、来訪者の顔を確認した後、住宅情報盤４ａのハンドセットＨを取ると、この住戸の入居者等は、住戸内に居ながら、モニターテレビ表示部（映像表示部）Ｍに映し出されている映像から来訪者の顔を見ながら、カメラ付きロビーインターホン２に設けられている、マイク２ｂ及びスピーカ２ｃと、ハンドセットＨとを通じて、来訪者と所定時間、あるいは、入居者等がハンドセットＨを元に戻すまで、通話することができる。
【００８８】
また、来訪者が、カメラ付きドアホン子器１８の呼出ボタン１８ａを押し操作した場合には、その住戸内の埋込型住宅情報盤１４から呼出音が発せられ、これと、同時に、住宅情報盤４ａからモニターテレビ４ｂにテレビ起動信号が送出され、モニターテレビ４ｂのモニターテレビ表示部（映像表示部）Ｍがオンし、カメラ付きドアホン子器１８のカメラ８ｅが撮像している映像が表示される。
【００８９】
この呼出音に応答して、あるいは、モニターテレビ表示部（映像表示部）Ｍに映し出されている映像から、この住戸の入居者等が、住戸の玄関扉の前に来ている、来訪者の顔を確認した後、住宅情報盤４ａのハンドセットＨを取ると、この住戸の入居者等は、住戸内に居ながら、モニターテレビ表示部（映像表示部）Ｍに映し出されている映像から来訪者の顔を見ながら、ドアホン子器１８に設けられている、マイク８ｂやスピーカ８ｃと、ハンドセットＨとにより、来訪者と所定時間、あるいは、入居者等がハンドセットＨを元に戻すまで、通話することができるようになっている。
【００９０】
そして、このモニターテレビ増設型インターホンシステム１では、集合住宅の各住戸に設けられている住宅情報盤４ａ・・・の各々の全てに、モニターテレビ４ｂ・・・が増設されると、図１３に示すモニターテレビ付きインターホンシステム２０１と同様の機能を有することになる。
尚、以上に説明した、モニターテレビ増設型住宅情報盤４の構成、モニターテレビ増設型インターホンシステム１の構成は、本発明を説明するための例示であって、本発明は、この発明の実施の形態によって何ら限定的に解されることはない。
【００９１】
本発明に係るモニターテレビ増設型住宅情報盤は、埋込型住宅情報盤に、後付で、モニターテレビを取り付けたり、又は、埋込型住宅情報盤に既にモニターテレビを増設した後に、再び、埋込型住宅情報盤からモニターテレビを取り外すことができるようになっており、且つ、埋込型住宅情報盤を取り付ける取付壁面に、埋込型住宅情報盤の埋込部を収容するのに必要な取付穴を設ければ、埋込型住宅情報盤にモニターテレビを増設する際に、モニターテレビを取付壁面に取り付ける際に、モニターテレビ用に取付穴のサイズを変更する必要の無いものは、いずれも本発明に含まれる。
【００９２】
また、モニターテレビに埋込部が存在しておらず、埋込型住宅情報盤に、後付で、モニターテレビを取り付けたり、又は、埋込型住宅情報盤に既にモニターテレビを増設した後に、再び、埋込型住宅情報盤からモニターテレビを取り外すことができるようになっているものは、いずれも本発明に含まれる。
また、モニターテレビに埋込部が存在しておらず、埋込型住宅情報盤に、後付で、モニターテレビを取り付けたり、又は、埋込型住宅情報盤に既にモニターテレビを増設した後に、再び、埋込型住宅情報盤からモニターテレビを取り外すことができるようになっている、モニターテレビ増設型住宅情報盤が組み込まれているインターホンシステムは、いずれも、本発明に係るモニターテレビ増設型インターホンシステムに含まれる。
【００９３】
また、この発明の実施の形態では、埋込型住宅情報盤にモニターテレビを増設ずるのに対応して、ドアホン子器を、カメラの付いていないドアホン子器８から、カメラ８ｅが付いている、カメラ付きドアホン子器１８に交換するシステムについて説明したが、集合住宅を新築等した際に、各住戸の全てに、カメラ付きドアホン子器１８を設置するようにしても良い。
【００９４】
【発明の効果】
以上、詳細に説明したように、請求項１に記載のモニターテレビ増設型住宅情報盤では、モニターテレビの厚さを、埋込型住宅情報盤の取付壁面から露呈する枠体部の厚さと概ね等しい厚さとし、且つ、上記モニターテレビの底面が、上記取付壁面の表面に当接している。これにより、埋込型住宅情報盤を取り付ける、取付壁面に、埋込型住宅情報盤の埋込部を収容できる大きさの取付穴を形成し、埋込型住宅情報盤を取付壁面に取り付けておけば、その後、後付けで、この埋込型住宅情報盤にモニターテレビを増設する際に、既に形成されている取付穴のサイズを大きくする必要が無い。
【００９５】
従って、このモニターテレビ増設型住宅情報盤埋込型住宅情報盤へのモニターテレビの増設作業を極めて簡単に行える。
且つ、このモニターテレビ増設型住宅情報盤では、入居者が、モニターテレビ付き住宅情報盤は必要ないと希望した場合には、埋込型住宅情報盤にモニターテレビが増設されている場合にあっては、埋込型住宅情報盤からモニターテレビを取り外すだけでよいので、モニターテレビ付き住宅情報盤からモニターテレビの付いていない埋込型住宅情報盤への交換作業も極めて容易に行える。
【００９６】
のみならず、このモニターテレビ増設型住宅情報盤は、取付壁面に形成する取付穴の大きさは、埋込型住宅情報盤の埋込部を収容できる大きさがあれば十分であるので、従来のモニターテレビ付き住宅情報盤に比べ、取付壁面に形成する取付穴の大きさを小さくできる。
これにより、住戸の取付壁面へ、大きな穴を形成しないで済むので、建造物の管理者や所有者にとっては、壁を元に戻す補修をする必要がない。
【００９７】
従って、このモニターテレビ増設型住宅情報盤は、建造物の管理者や所有者にとっても、好ましい。
請求項２に記載のモニターテレビ増設型住宅情報盤では、従来のモニターテレビ付き住宅情報盤と同様、モニターテレビの横寸法及び縦寸法の各々を、埋込型住宅情報盤の横寸法及び縦寸法の各々と概ね同一寸法としているので、増設型であるのもかかわらず、埋込型住宅情報盤にモニターテレビを増設した後の外観が、従来のモニターテレビ付き住宅情報盤と同じ外観を呈する。
【００９８】
これにより、このモニターテレビ増設型住宅情報盤は、入居者に、従来のモニターテレビ付き住宅情報盤と同様の高級感を印象付けることができる。
請求項３に記載のモニターテレビ増設型住宅情報盤では、埋込型住宅情報盤の、モニターテレビが連接される側の側面に、連接用コネクターを設けているため、モニターテレビ側から、この連接用コネクターの、電源供給と映像信号との重畳信号出力端子及び起動信号出力端子の各々に対応する重畳信号入力端子及び起動信号入力端子の各々が設けられた連接用コネクターを導出すれば、埋込型住宅情報盤の連接用コネクターと、モニターテレビの連接用コネクターとを接続するだけという、簡単な操作で、埋込型住宅情報盤とモニターテレビとの電気的な接続が可能となる。
【００９９】
また、これとは逆に、埋込型住宅情報盤に既にモニターテレビが増設されている場合にあっては、埋込型住宅情報盤の連接用コネクターと、モニターテレビの連接用コネクターとを切り離すという簡単な操作で、埋込型住宅情報盤からモニターテレビを取り外すことができる。
請求項４に記載のモニターテレビ増設型住宅情報盤では、埋込型住宅情報盤の取付壁面から露呈する枠体部の、モニターテレビが連接される側の側面に、脱着可能なカバー体を設けているので、埋込型住宅情報盤に、モニターテレビを増設していない場合には、埋込型住宅情報盤の取付壁面から露呈する枠体部の、モニターテレビが連接される側の側面に、このカバー体を取り付けておけば、外部から、連接用コネクターが見えず、優れた美観を呈する。
【０１００】
且つ、埋込型住宅情報盤に、モニターテレビを増設する場合にあっては、カバー体を取り外し、埋込型住宅情報盤の取付壁面から露呈する枠体部の、モニターテレビが連接される側の側面に設けられている連接用コネクターに、モニターテレビの連接用コネクターを接続するだけという、簡単な操作で、埋込型住宅情報盤のカバーを取り外すことなく、埋込型住宅情報盤とモニターテレビとの電気的な接続が可能となる。
【０１０１】
請求項５に記載のモニターテレビ増設型住宅情報盤では、モニターテレビの映像表示手段として、ＣＲＴに比べ、薄型化が容易な液晶表示手段を用いているので、モニターテレビの厚さを極めて薄くすることができる。これにより、取付壁面からあまり突出することが無い、薄型のモニターテレビ増設型住宅情報盤の製品化が可能になる。
【０１０２】
請求項６に記載のモニターテレビ増設型インターホンシステムでは、請求項１〜５のいずれかに記載のモニターテレビ増設型住宅情報盤を組み込んでいる。これにより、住戸のモニターテレビ増設型住宅情報盤の取付壁面に、モニターテレビ増設型住宅情報盤を構成する住宅情報盤を取り付けておけば、後は、入居者等が、モニターテレビ付きの住宅情報盤を希望すれば、この希望に応じて、その入居者が入居する住戸の住宅情報盤に、後付けで、取付壁面に形成されている取付穴を大きくするような作業をすることなく、モニターテレビを住宅情報盤に接続するだけで、住宅情報盤をモニターテレビ付きにすることができるので、入居者等の希望に容易簡単に応えることができる。
【０１０３】
また、入居者等が、モニターテレビの付いていない住宅情報盤を希望すれば、入居者等が入居する住戸の住宅情報盤に、既に、モニターテレビが増設されている場合にあっては、取付壁面に形成されている取付穴を小さくするような作業を一切することなく、モニターテレビを住宅情報盤から取り外すという簡単な作業で、モニターテレビの付いていない住宅情報盤にすることができるので、入居者等の希望に容易簡単に応えることができる。
【０１０４】
このようにして、このモニターテレビ増設型インターホンシステムでは、集合住宅に入居する入居者等の希望に応じて、全住戸をモニターテレビの付いていない住宅情報盤にしたり、全住戸をモニターテレビ付き住宅情報盤にしたり、また、入居者等の希望する住戸のみをモニターテレビ付き住宅情報盤にした、モニターテレビの付いていない住宅情報盤とモニターテレビ付き住宅情報盤とが混在した、新規なインターホンシステムを市場に提供できる。
【図面の簡単な説明】
【図１】本発明に係るモニターテレビ増設型住宅情報盤の一例を概略的に示す図であり、図１（ａ）は、モニターテレビ増設型住宅情報盤の外観を示す正面図であり、また、図１（ｂ）は、図１（ａ）に示すモニターテレビ増設型住宅情報盤が、モニターテレビ増設型住宅情報盤を取り付ける取付壁面に取り付けられた状態を、取付壁面を横方向に切断し、上方から下方に見た模式的な断面図である。
【図２】本発明に係るモニターテレビ増設型住宅情報盤を構成する、埋込型住宅情報盤を更に詳しく説明する図であり、図２（ａ）は、埋込型住宅情報盤を、埋込型住宅情報盤にモニターテレビを接続しない状態で使用している状態を模式的に示す図である。尚、図２（ａ）中、左図は、埋込型住宅情報盤の概略的な正面図を、右図は、埋込型住宅情報盤を取付壁面に取り付けた状態を、埋込型住宅情報盤の取付壁面から露呈する枠体部の、モニターテレビが連接される側の側面側から見た断面図を示している。また、図２（ｂ）中、左図は、埋込型住宅情報盤の概略的な正面図を、右図は、埋込型住宅情報盤を取付壁面に取り付けた状態を、埋込型住宅情報盤の取付壁面から露呈する枠体部の、モニターテレビが連接される側の側面側から見た断面図であって、カバー体を取り外した状態を示している。
【図３】本発明に係るモニターテレビ増設型インターホンシステムの一例を概略的に示す構成図であり、この図は、モニターテレビ増設型インターホンシステムを集合住宅に設置した例を示している。
【図４】ある住戸に設けられている埋込型住宅情報盤にモニターテレビを増設した状態を示している。
【図５】取付壁面に既に取り付けられている埋込型住宅情報盤に、モニターテレビを増設する増設作業手順を概略的に説明する説明図である。
【図６】取付壁面に既に取り付けられている埋込型住宅情報盤に、モニターテレビを増設する増設作業手順を概略的に説明する説明図である。
【図７】埋込型住宅情報盤に設けられている連接用コネクターと、モニターテレビに設けられている連接用コネクターとの接続を説明する説明図である。
【図８】本発明に係るモニターテレビ増設型住宅情報盤を構成する、埋込型住宅情報盤及びモニターテレビの各々の概略的なブロック図である。
【図９】本発明に係るモニターテレビ増設型住宅情報盤を構成する、埋込型住宅情報盤及びモニターテレビの各々の概略的なブロック図である。
【図１０】モニターテレビが既に増設されている場合の、本発明に係るモニターテレビ増設型住宅情報盤の動作を例示的に示す、タイムチャートである。
【図１１】従来のインターホンシステムの一例を概略的に示す構成図であり、この図は、インターホンシステムを集合住宅に設置した例を示している。
【図１２】従来の住宅情報盤を概略的に示す図であり、図１２（ａ）は、従来の住宅情報盤の外観を示す正面図であり、また、図１２（ｂ）は、図１２（ａ）に示す住宅情報盤が、住宅情報盤を取り付ける取付壁面Ｗに取り付けられた状態を、取付壁面を横方向に切断し、上方から下方に見た模式的な断面図である。
【図１３】従来のモニターテレビ付きインターホンシステムを概略的に示す構成図であり、この図は、従来のモニターテレビ付きインターホンシステムを集合住宅に設置した例を示している。
【図１４】従来のモニターテレビ付き住宅情報盤を概略的に示す図であり、図１４（ａ）は、モニターテレビ付き住宅情報盤の外観を示す正面図であり、また、図１４（ｂ）は、図１４（ａ）に示すモニターテレビ付き住宅情報盤が、モニターテレビ付き住宅情報盤を取り付ける取付壁面に取り付けられた状態を、取付壁面を横方向に切断し、上方から下方に見た模式的な断面図である。
【符号の説明】
１  モニターテレビ増設型インターホンシステム
２    カメラ付きロビーインターホン
２ａ、３ａ  外部入力手段
２ｂ、８ｂ、  マイク
２ｃ、８ｃ    スピーカ
２ｄ、８ａ    呼出ボタン
２ｅ、８ｅ    カメラ
３      警報監視盤
４  モニターテレビ増設型住宅情報盤
４ａ    埋込型住宅情報盤
４ｂ  モニターテレビ
５、６  連接用コネクター
７    分岐器
８    ドアホン子器
９    電気錠制御盤
１０  映像制御盤
１５  電気錠
１８  カメラ付きドアホン子器
４１  ベース
４２    カバー
４３    信号制御回路
４４    通話制御回路
４５    映像信号制御回路
４６    テレビ起動信号回路
４７  制御回路部
４８    モニターテレビ制御回路
Ｂ  警報ボタン
Ｃ  カバー体
Ｄ１  埋込型住宅情報盤の枠体部の厚さ
Ｄ２ａ、Ｄ２ｂ    モニターテレビの枠体部の厚さ
Ｄ３    モニターテレビ表示部（映像表示部）が、モニターテレビの枠体部から突出している部分の厚さ
Ｈ、Ｈ０  ハンドセット
Ｌ１  埋込型住宅情報盤の横寸法
Ｌ２    モニターテレビの横寸法
Ｌ３    埋込型住宅情報盤の縦寸法
Ｌ４    モニターテレビの縦寸法
Ｍ  モニターテレビ表示部（映像表示部）
Ｐ４ａ  埋込型住宅情報盤の埋込部
Ｒ、Ｒｘ  住戸
Ｓ  スピーカ
Ｗ    取付壁面
ｆ４ａ、ｆ４ｂ  枠体部
ｈ１  取付穴
【図１】
0003591359.tif 000002
【図２】
0003591359.tif 000003
【図３】
0003591359.tif 000004
【図４】
0003591359.tif 000005
【図５】
0003591359.tif 000006
【図６】
0003591359.tif 000007
【図７】
0003591359.tif 000008
【図８】
0003591359.tif 000009
【図９】
0003591359.tif 000010
【図１０】
0003591359.tif 000011
【図１１】
0003591359.tif 000012
【図１２】
0003591359.tif 000013
【図１３】
0003591359.tif 000014
【図１４】
0003591359.tif 000015